(57)【要約】  バッグの内容物を注ぐことを容易にするために、バッグの上側端に注ぎ口を備えたプラスチック食品保存バッグである。バッグは、バッグのプレスシール、またはジッパーシールのちょうど内側の閉位置において注ぎ口で密封されることができる。注ぎ口は、閉位置から開位置へと回転することができる。
2017534539.tif 000002
【特許請求の範囲】
【請求項１】
上端部、下端部、２つの側端部、および前記端部の間に画定されている前部および背部の主要表面を有する保存バッグを含む、注ぎ口を備えた保存バッグであって、
前記２つの側端部の間に延在する前記上端部近傍のシールと、前記シール、前記側端部、前記下端部、および前記前部および背部の主要表面の間に画定されるバッグの内部をさらに有し、
前記シールは、バッグ内部の内容物を利用するために開くように、かつ前記内部に前記内容物をしっかりと封入するために閉じるように、操作可能であり、
前記シールおよび前記側端部の１つによって規定される角部において前記バッグに固定されている注ぎ口をさらに含み、前記注ぎ口は第１の位置と第２の位置との間で動くことができ、
前記第１の位置において、注ぎ口は、バッグ内部に配置され、内容物と共にシールによってそこに封入され、
前記第２の位置において、注ぎ口は、バッグ内部から、前記上端部を超えて外側に延び、内容物がバッグ内部から外に注がれるとき、内容物を導くように構成される、
注ぎ口を備えた保存バッグ。
【請求項２】
前記シールが、バッグの前記前部および背部の主要表面上に個別の凸部を備え、前記凸部はランナーによって互いに結び付けられるように構成され、それによってジッパーを形成する、請求項１に記載の注ぎ口を備えた保存バッグ。
【請求項３】
前記シールが、バッグの前記前部および背部の主要表面上に個別の凸部を備え、前記凸部はユーザの指の圧力によって互いに結び付けられるように構成される、請求項１に記載の注ぎ口を備えた保存バッグ。
【請求項４】
注ぎ口が、バッグ内部を向くように配置された内側表面、およびバッグの前記前部および背部の主要表面の少なくとも１つを向くように配置された外側表面を有するプラスチック片を含む、請求項１に記載の注ぎ口を備えた保存バッグ。
【請求項５】
前記プラスチック片が、楔形であり、中央の折れ目に沿って曲げられている、請求項４に記載の注ぎ口を備えた保存バッグ。
【請求項６】
前記プラスチック片の外側表面が、バッグの前記前部および背部の主要表面の少なくとも１つに取り付けられている、請求項５に記載の注ぎ口を備えた保存バッグ。
【請求項７】
前記外側表面が、接着剤によってバッグに取り付けられている、請求項６に記載の注ぎ口を備えた保存バッグ。
【請求項８】
前記外側表面が、テープによってバッグに取り付けられている、請求項６に記載の注ぎ口を備えた保存バッグ。
【請求項９】
前記外側表面が、バッグに含まれるフィルムによってバッグに取り付けられている、請求項６に記載の注ぎ口を備えた保存バッグ。
【請求項１０】
前記外側表面が、接着剤によってバッグに取り付けられている、請求項５に記載の注ぎ口を備えた保存バッグ。
【請求項１１】
前記外側表面が、テープによってバッグに取り付けられている、請求項５に記載の注ぎ口を備えた保存バッグ。
【請求項１２】
前記外側表面が、バッグに含まれるフィルムによってバッグに取り付けられている、請求項５に記載の注ぎ口を備えた保存バッグ。
【請求項１３】
前記プラスチック片が、前記中央の折り目の両側に規定される、前部および背部の外側表面を有し、前記前部および背部の外側表面が、バッグの前記前部および背部の主要表面に各々取り付けられている、請求項５に記載の注ぎ口を備えた保存バッグ。
【発明の詳細な説明】
【技術分野】
【０００１】
本出願は、２０１４年１０月３日に出願され、参照によってここに組み込まれる、米国仮出願第６２／０５９，４４７号に基づき、かつ同出願に基づく優先権を主張する。
【背景技術】
【０００２】
本発明は、プラスチック保存バッグの改良に関し、より詳細には、バッグの内容物を注ぐことを容易にする注ぎ口に関する。
【発明の概要】
【課題を解決するための手段】
【０００３】
開示される注ぎ口は、ユーザが内容物を保存することを可能にし、かつその後内容物をこぼすことなく、かつ残留物がバッグのクロージャトラックを塞ぎ、この種のバッグのこの種のクロージャの主要な構成要素であるシールを再度固く閉じることを妨げることなく、清浄で効率的な方法でバッグから内容物を注ぐことを可能にすることによって、従来のバッグを改良する。すなわち、気密性の、かつ水密性のシールは、内容物を保存し、汚染を防ぐための、バッグの機能の要である。この改良は、バッグに保存されるソースなどの液体内容物で特に有効であり、従来のバッグと比較して廃棄物を減らし、注いだ後に清浄であることを可能にする。
【０００４】
ジッパータイプまたはプレスシールタイプのクロージャ（これ以降「シール」）を備えたバッグにおいて、注ぎ口は、使用後に、バッグ内部のシールの下方の位置に押し込まれ、トラックに残留物が無い状態でバッグを再度固く閉じることを可能にし、水密性かつ気密性の密封を確実にする。
【０００５】
本改良は、様々な製造者から入手可能である、ジッパータイプおよびプレスシールタイプのバッグの双方に適用可能である。一連の従来の食品保存バッグの例として、Ｓ．Ｃ．Ｊｏｈｎｓｏｎ＆Ｓｏｎ，Ｉｎｃ．の有名なＺｉｐｌｏｃ（登録商標）ブランドの食品保存バッグが挙げられる。
【０００６】
より広義には、本開示の注ぎ口の特徴は、非限定的に、形状または材料に関係なく、任意のタイプのバッグまたは容器に使用することができる。
【０００７】
本発明の他の特徴および利点は、以下の実施形態の記載において理解されるだろう。
【図面の簡単な説明】
【０００８】
【図１】本発明の第１の実施形態による注ぎ口を備えたプレスシールタイプのバッグを示し、注ぎ口は第１の（閉じた）位置にある。
【図２】図１の実施形態を示し、注ぎ口は第２の（開いた）位置にある。
【図３Ａ】本発明の第２の実施形態による注ぎ口を備えたバッグを示し、注ぎ口はバッグの密閉された閉じ目にぶつかる位置にある。
【図３Ｂ】第２の実施形態の変更例による注ぎ口を備えたバッグを示し、バッグの注ぎ口と隣接する閉じ目との間のバッグ内に提供されたブロック領域を含む。
【図４】注ぎ口を備えたジッパータイプのバッグを含む、本発明の第３の実施形態を示す。
【図５】その閉じた位置にある注ぎ口を示す、本発明の第４の実施形態の側面図である。
【図６】その開いた位置にある注ぎ口を示す、その側面図である。
【図７】図５に対応する斜視図である。
【発明を実施するための形態】
【０００９】
図１及び２に示される、第１の実施形態によれば、動く注ぎ口１０が、バッグ２０の開いている側１５の近くに固定される。この実施例において、バッグは、プレスシールタイプの保管バッグである。注ぎ口は、注ぎ口がバッグ内部に配置されている第１の位置（図１）を有し、バッグはバッグの内容物を保護するために、図示されるように、プレスシールアレンジメント２５によって注ぎ口上方で閉じることができる。
【００１０】
バッグが開かれているとき、図２に示されるように、注ぎ口１０は動作点３０に関して第２の位置に移動することができ、第２の位置において、注ぎ口はバッグの開口部１５に対して横に配置され、バッグの開口部１５を通って延び、バッグからの内容物の流出を導く。
【００１１】
図１および２における動作点３０は、回転動作の中心を概略的に示し、動きを与えるためのどのような特定のデバイスまたは構造を示すことも意図していない。一実施形態において、動作点３０は、注ぎ口１０と、バッグ２０の前部および背部の主要な側面の一方または両方との間で、シリコーン系の柔軟な接着剤で接着されていてよい。動作点は、他の適切な接着剤および／または機械的配置によって、他の実施形態において提供されることができ、これはなおも本発明の範囲内である。
【００１２】
図３Ａで示される第２の実施形態において、第２の位置において、注ぎ口は、バッグ開口部の端部で、その注ぎ位置においてしっかりと支持されるように、密封された閉じ目１７とぶつかって配置されてよい。
【００１３】
第３の実施形態の変更例において、図３Ｂに破線で概略的に示されるように、ブロック領域１８が、バッグの角部に提供されてよく、この領域でバッグの前部および背部の主要な表面が互いに密封される。ブロック領域１８は、それにぶつかって注ぎ口１０が第２の位置に配置されることができる端部１９を提供する。
【００１４】
図３Ｂにおいて矢印３５で示されるように、この配置は、バッグの内容物の、注ぎ口１０への、または注ぎ口１０を通過する、円滑な流出を容易にする。ブロック領域１８は、内容物を注ぎ口１０へと導き、一方で内容物が注ぎ口１０と閉じ目１７との間の領域に集まる、または塞ぐことを防ぐ。
【００１５】
代替的な実施形態において、バッグの材料は、ブロック領域１８に関して示される位置において取り除かれてよく、すなわちブロック領域１８に対応する切欠きが形成されることができ、閉じ目１７および／またはブロック領域１８上方のシール端部に切り取られた形状を形成し、図３Ｂに関連して記載されるものと同じ利点を有する。
【００１６】
図４に示される第３の実施形態において、プラスチック食品保管バッグ４０は、ジッパータイプまたはスライダータイプのクロージャ４５を有する。このクロージャは、ブロックされた端部分４７を有し、ここでクロージャの前部および背部は互いにシールされ、ランナー４９に関して強い係合点を提供する。
【００１７】
図４に示されるように、その開いた第２の位置において、注ぎ口１０は、ブロックされた端部分４７にぶつかって支持される。
【００１８】
図３Ｂの実施形態に示されるように、ブロック領域１８に対応するブロック領域が、図４の実施形態において提供されることができ、ここでバッグ４０の前部および背部の主要な表面が、端部分４７の下方かつ注ぎ口１０と端部１７との間の領域において、互いに密封され、または取り除かれる。
【００１９】
図５−７は、本発明の第４の実施形態を示し、この実施形態においてバッグ５０は、前部および背部の主要な表面５２、５４を有する。注ぎ口６０は、対応するフィルム５６、５８によって、前部および背部の主要な表面５２、５４に接着される。
【００２０】
フィルム５６、５８は、バッグ５０と同じ材料で形成されてよく、バッグ製造工程においてヒートシールされてよく、または他の方法では端部５９に隣接して取り付けられてよい。フィルム５６、５８は、別個の工程で取り付けられてもよく、バッグの主要表面５２、５４に接着された接着テープなどの、異なる材料であってもよい。この実施形態において、フィルムはバッグ表面から注ぎ口６０の前部および背部の内側面６２、６４上へと延在する。もしも有用であり、または所望される場合には、フィルムは、さらに、または代替的に、バッグ表面から注ぎ口６０の前部および背部の外側表面上に延在することができる。
【００２１】
図５における側面図および図７における斜視図から理解されるように、注ぎ口６０は、注ぎ口６０がバッグ５０内部に置かれている、閉位置を有する。好ましくは、注ぎ口は、バッグ内のシール２５の位置、またはシール２５の直下に固定され、バッグが、シール２５のちょうど内側にある注ぎ口で密封され得るようにする。図７において最もよく理解されるように、注ぎ口の内側のフィルム５６、５８の一部がバッグ表面から折れ曲がり、この位置において注ぎ口６０を支持する。
【００２２】
図６に示されるその開位置において、注ぎ口６０は、端部５９にぶつかって配置されるこの位置へと回転され、フィルム５６、５８はその曲がっていない位置にある。
【００２３】
注ぎ口１０、６０は、前部の外側面６３および背部の外側面６５を有する、中央の折り目（図７の６１を参照）に沿って対称に折り曲げられた楔形のプラスチック片で形成されてよい。しかしながら、内容物がバッグ内部から注がれるとき、注ぎ口がバッグ内容物を導くことができる限り、形状は重要ではない。
【００２４】
注ぎ口は、バッグ５０および／またはシール２５と同じ材料で形成されてよく、または異なる材料で作られてよい。所望であれば、材料は、特定の程度の硬さを提供するように選択されてよい。
【００２５】
所望の場合には、特定の用途に対して、リブまたは他の補強構造体が注ぎ口に追加されてよい。
【００２６】
注ぎ口を備えたプラスチック保存バッグの実施形態が記載されたが、本発明はそのような実施形態に限定されず、むしろ当業者が思い付くであろうその変更形態および変形形態に拡張される。
【符号の説明】
【００２７】
１０  注ぎ口
２０  バッグ
１５  開口部
１７  閉じ目
１８  ブロック領域
１９  端部
２５  プレスシールアレンジメント
３０  動作点
４０  バッグ
４５  クロージャ
４７  端部分
４９  ランナー
５０  バッグ
５２、５４  主要な表面
５６、５８  フィルム
５９  端部
６０  注ぎ口
６２、６４  内側面
６３、６５  外側面
【図１】
2017534539.tif 000003
【図２】
2017534539.tif 000004
【図３Ａ】
2017534539.tif 000005
【図３Ｂ】
2017534539.tif 000006
【図４】
2017534539.tif 000007
【図５】
2017534539.tif 000008
【図６】
2017534539.tif 000009
【図７】
2017534539.tif 000010
【国際調査報告】
2017534539.tif 000011